(57)【要約】【課題】比較的大きなリング容積及び十分な音質を提供する時計の時打ち機構装置を得ること。【解決手段】時計の時打ち機構装置は、ムーブメント（３）を囲み且つほぼ１つの平面に延びるゴング（４）と、時計の時計プレートに固定されるゴング・キャリアとを含む。ゴングは、ゴング・キャリアに固定される。時打ち機構装置の少なくとも１つのハンマー（６）は、ゴング（４）に振動を引き起こすために該ゴングを叩く。ハンマーが叩くゴングの面（８）は、平面の法線に対して傾斜している。【選択図】      図４
2011047944.tif 000002
【特許請求の範囲】
【請求項１】
時打ち機構装置を含む携帯時計（１）にあって、
バーを備え、ムーブメント（３）を囲み且つほぼ１つの平面に延びたゴング（４）と、
前記携帯時計のフレーム（２）に固定され且つ前記ゴングが取り付けられるゴング・キャリア（５）と、
前記ゴング（４）に振動を引き起こすために該ゴングを叩く少なくとも１つのハンマー（６）と、
を含む携帯時計であって、
前記ハンマーは、前記ゴング（４）の衝突面（８）を叩くように配置され、該衝突面が前記平面の法線に対して傾斜している、
ことを特徴とする携帯時計。
【請求項２】
前記ゴングを形成する材料が、貴金属又は貴金属合金である、
ことを特徴とする請求項１に記載の携帯時計。
【請求項３】
前記衝突面（８）が、前記バー（４）の一部上に配置された平坦部分により形成される、
ことを特徴とする請求項１に記載の携帯時計。
【請求項４】
前記バーが全体的に円形又は矩形を形成する、
ことを特徴とする請求項１〜３の何れかに記載の携帯時計。
【請求項５】
前記ムーブメントを収容するフレームが存在し、該フレーム内部に前記ゴング（４）が配置される、
ことを特徴とする請求項１〜４の何れかに記載の携帯時計。
【請求項６】
前記ゴングが、その少なくとも一方の端部により前記ゴング・キャリア（５）に取り付けられている、
ことを特徴とする請求項１〜５の何れかに記載の携帯時計。
【請求項７】
前記衝突面（８）以外の前記バー（４）の横断面が円盤状である、
ことを特徴とする請求項１に記載の携帯時計。
【請求項８】
前記ゴング・キャリア（５）が、前記携帯時計の時計プレート（２）又は該時計の中央部分である前記フレームの底部に対して突出し、前記ゴング（４）が、前記フレームの底部の上に配置される、
ことを特徴とする請求項１〜７の何れかに記載の携帯時計。
【発明の詳細な説明】
【技術分野】
【０００１】
本発明は、携帯時計の時打ち機構に関し、詳細には、ハンマーが叩いて振動を発生させるゴングを含む、機械式時打ち機構を備えた携帯時計に関する。
【背景技術】
【０００２】
時計製作の分野において、ミニッツリピータなどの時打ちメカニズムを備えたムーブメントの製作には、従来の構造が使用されている。これらの実施形態では、使用されるゴングは、時計文字盤に平行な平面に配置される円形金属ワイヤである。金属ワイヤは、時計フレーム内部でムーブメントの周りに配置される。ゴングの一方の端部は、例えば硬ろうによりゴング・キャリア（ゴング支持部材）に取り付けられる。ゴングの他端は一般に固定されていない。ゴング・キャリアは時計プレートに固定される。時計は、所定時間に作動するハンマーを含む。ゴングの振動は、ゴング・キャリアのゴングにハンマーが衝突することにより発生する。ハンマーは、ゴングの平面内で部分的に回転し、該平面にてゴングを振動させる。ゴング振動の一部は時計プレートに伝達される。次いで、プレートは、ゴング平面に平行な平面で振動する。
得られる振動は、複数の固有周波数を含み、この数及び強さは、詳細には可聴域内では、ゴングの幾何形状及び材料の物理的特性に依存する。一般に、音響スペクトル全体でピッチが固定された音楽的な音を発生するためには、第１調波とも呼ばれる基本周波数と、基本周波数の整数倍である１つ又は複数の調波とが存在する。基本周波数よりも高い周波数が最低周波数の整数倍ではない別の事例において、このような周波数は「部分音(partials)」と定義される。複数の部分音を有する音は、主に、打楽器又は一部の弦楽器において、或いは、時計用時打ち機構のゴングに対するハンマーの衝撃又は衝突などの時打ち過渡応答中に見られる。
実際には、リング容積は比較的制限され、時打ち機構のエネルギー収率は比較的低い。その上、伝達される音の固有周波数が少ないので、一般に、時打ち機構の音質は依然として低品質なものである。
また、最新の技術において、地板に取り付けられるベルを叩くために、該地板に垂直な回転軸の周りを回転可能に装着されたハンマーからなる時打ちメカニズムの実施形態が存在する。これに関連して、米国特許第１，００１，０９５Ａ及びフランス国特許第２  ４８０  ４５３Ａ１を引用することができる。地板に取り付けられるベルはまた、ドイツ国特許第４４３  ３８７Ｃで開示されるように、螺旋形ゴングと置き換えてもよい。しかしながら、これらの実施形態の何れも比較的大きなリング容積及び十分な音質を提供したものではない。
【先行技術文献】
【特許文献】
【０００３】
【特許文献１】米国特許第１,００１,０９５Ａ
【特許文献２】フランス国特許第２,４８０,４５３Ａ１
【特許文献３】ドイツ国特許第４４３,３８７Ｃ
【発明の概要】
【０００４】
本発明の目的は、これらの欠点の全て又は一部に対処することである。従って、本発明は、バーを備え、ムーブメントを囲み且つほぼ１つの平面に延びたゴングと、携帯時計のフレームに固定され且つゴングが取り付けられるゴング・キャリアと、ゴングに振動を引き起こすために該ゴングを叩く少なくとも１つのハンマーと、を含む、時打ち機構装置を有する携帯時計に関する。
携帯時計は、ゴングの衝突面を叩くように配置され、該衝突面が平面の法線に対して傾斜している、ことを特徴とする。
【０００５】
本発明の変形形態によれば、ゴングは、メカニズムを囲む細長いバーを有する。上記衝突面は、バーの一部上に配置された平坦部分により形成することができる。
【０００６】
本発明の別の変形形態によれば、ムーブメントを収容するフレームが存在し、該フレーム内部にゴングが配置される。
【０００７】
本発明の更に別の変形形態によれば、ゴングは、貴金属又は貴金属合金で形成される。
【０００８】
本発明の変形形態によれば、衝突面は、ゴングがゴング・キャリアに取り付けられる場所からある距離を置いて配置される。
【０００９】
本発明の別の変形形態によれば、衝突面以外のバーの横断面が円盤状である。
【００１０】
本発明の更に別の変形形態によれば、ゴング・キャリアは、フレームの下部に対して突出し、該下部は、時計プレート又は該時計の中央部に存在することができ、ゴングが該フレームの下部の上に配列される。
【００１１】
本発明による携帯時計の１つの利点は、ムーブメントの種々の要素に振動をより効率的に伝達することにより、時計時打ち機構の収率を最適にするよう構成することができる点である。詳細には、ハンマーが叩くゴングの面が傾斜しているので、ゴングの振動は、ゴングの平面の１つの方向と、ゴング平面に垂直な方向とに生成される。従って、振動がより良好に伝播される。
【００１２】
本発明の他の特徴及び利点は、添付図面を参照しながら、非限定的な例証として与えられる以下の説明から明らかになるであろう。
【図面の簡単な説明】
【００１３】
【図１】本発明による携帯時計の１つの実施形態の簡易断面図である。
【図２】メカニズム及びハンマーが無い、図１の携帯時計の直径方向の簡易断面図である。
【図３】その一部において平坦部分が存在するゴングの拡大断面図である。
【図４】ハンマーが叩いたときの図３のゴングの動作を示す図である。
【発明を実施するための形態】
【００１４】
本発明は、時打ち機構ゴングを備えた携帯時計を提案する。ゴングは一般に、時計ムーブメントを囲み、ほぼ１つの平面に延びる。ハンマーがゴングの衝突面を叩き、該ゴングを振動させる。この表面は、ゴング平面の法線に対し傾斜している。
【００１５】
ハンマーがゴングを叩くと、該ゴングは、自己平面及び該平面に対する法線で振動する。従って、ゴングのエネルギー収率が改善される。その上、ゴング・キャリアは、捻れ応力だけでなく牽引／圧縮応力も平面に伝達することができるので、振動の時計平面への伝達が改善される。これにより更にエネルギー収率が改善され、発生する音のスペクトル密度を低減することで改善することができ、これは、近接した周波数での部分音に起因する不協和音が減少する。
【００１６】
図１は、本発明の１つの実施形態による、携帯時計１の内部の簡易上面図である。図２は、図１の時計の直径方向の簡易断面図である。携帯時計１は時計プレート２を含む。時計プレート２内にフレームが配置される。携帯時計１は、フレーム内部に収容される公知のムーブメント３を含む。ムーブメント３は通常、機械式ムーブメントである。
【００１７】
携帯時計１は、同様にフレーム内部に収容されるゴング４及びゴング・キャリア（ゴング支持部材）５を含む。ゴング・キャリア５は、時計プレート２に固定される。ゴング・キャリア５は、計プレート２の底部に対して突出している。ゴング４は、ムーブメント３を囲み、携帯時計１の文字盤の平面にほぼ一致する平面ｘ、ｙにほぼ延びている。ゴング４は、一方の端部がゴング・キャリア５に固定される。ゴング４の他方の端部は固定されない。
【００１８】
ゴング・キャリア５は、時計プレート２の底部の上方にゴング４を保持する。従って、ゴングには軸線ｚに沿ってクリアランスがあり、ゴングが当該方向で振動できるようにする。携帯時計１はまた、作動時にゴング４の衝突面を叩くことができるハンマー６を含む。ハンマー６は、ゴング４の平面に垂直な軸７に枢動可能に装着され、従って、該軸は方向ｚを有する。このハンマー６は、ゴングの平面の法線に対して傾斜した面８上でゴングを叩くよう作動することができる。分かり易くするために、メカニズム３は、図２には示していない。好ましくは、このハンマー６は、ゴング・キャリアに近接して装着される。しかしながら、ハンマーを上記ゴング・キャリア５からある距離を置いて携帯時計上に装着することも想起することができる。
【００１９】
図３は、ハンマー６が叩く衝突面８を示すゴングの拡大断面図である。図示のように、この面８は、方向ｚ（ゴング４の平面に対して垂直な方向）に対して傾斜している。従って、ハンマー６の一方端がこの衝突面８を叩くと、ゴング４も方向ｚにも振動する。
【００２０】
図４は、ハンマー６が叩いているときのゴング４の動作を示している。破線の円は、待機時のゴング４の位置を表している。ハンマー６は、衝突面８と接触した後、引き続き方向ｘに移動する。ハンマー６は、衝突面８に接して滑動する。衝突面８は方向ｚに対して傾斜しているので、ゴング４は、弾性変形し、図示のように方向ｘ及び方向ｚの成分を有する局所的な動きを呈する。
【００２１】
ゴング４は通常、例えば、メカニズム３を囲み、金属ワイヤにより形成されるバーを有する。従って、バーは、単一の金線コイルで形成することができる。衝突面８は、バーの一部上に配置される平坦部により形成される。この場合、平坦部は、有利には方向ｚに対し４５°傾斜した平面を形成する。この形状は、特に達成しやすい。この場合は、バーは円形であり、携帯時計内部に占めるスペース量が低減される。
【００２２】
バーは通常、１ｍｍよりも小さい、例えばおよそ０．６ｍｍの直径を有する。図示のバーは、環状体の一部を形成する。この環状体の一部は、有利には、３００°と３５０°の間の角度に延びる。環状体はまた、ムーブメントの周りを１周よりも多く回転する（カテドラル型ゴング）。バーはまた、音響上の理由から他の好適な形状、例えば矩形形状を有することができる。衝突面８以外のバーの横断面は、図示のように円盤状とすることができる。
【００２３】
ゴング４の音響挙動を改善するために、ゴングは、貴金属又は貴金属合金で作られるのが有利である。
【００２４】
ゴング４の移動振幅を増大させるために、ハンマー６が叩く面８は、ゴング４がゴング・キャリア５に固定される場所に近接して、或いはそこからある距離を置いて配置することができる。
【００２５】
本発明は、腕時計に対してだけでなく、アラーム時計などの他のタイプの時計にも適用することができる。
【００２６】
図示の実施例では、ゴング４の一方端だけがゴング・キャリア５に固定されている。しかしながら、本発明はまた、ゴングを固定する複数のゴング・キャリアを備えた時計、又はゴングが一方端以外でゴング・キャリアに固定されるような時計にも適用される。図示の実施例では、携帯時計１は単一のハンマー６を有する。
【００２７】
しかしながら、本発明による携帯時計は、複数のハンマーを有してもよく、ゴングは、その平面の法線に対して傾斜した複数の対応する打撃面を有することができる。図示の実施例では、ハンマー６は、ゴングの平面に垂直な軸線に対して枢動可能に装着される。しかしながら、本発明による携帯時計は、ゴングの平面に対して傾斜した方向で運動できるハンマーを有してもよい。単一の巻線を備えたゴングが図示されているが、本発明はまた、複数の重なった巻線を備えたゴングにも適用される。
【００２８】
ハンマーは、ゴングの平面に対し傾斜した衝突方向でゴングを叩くよう配置することができる点に留意されたい。このような場合、ゴングの構成は、平坦部分を用いることなく従来通りにすることができる。
【符号の説明】
【００２９】
２  時計プレート；  ３  ムーブメント；  ４  ゴング；  ５  ゴング・キャリア；  ６  ハンマー；
８  衝突面。  
【図１】
2011047944.tif 000003
【図２】
2011047944.tif 000004
【図３】
2011047944.tif 000005
【図４】
2011047944.tif 000006